(57)【特許請求の範囲】
【請求項１】
両端に吊り下げ式灯具３を引っ掛けるフック２ａを有する吊りアーム２の中央部を先端に固定した吊り下げ式灯具用取付脚１であって、吊りアーム２とフック２ａを含む平面１０を取付脚１の軸芯の延長線に対してほぼ４５°傾斜させてなり、該取付脚１の脚部１ａは鋼管製で先端を平らにつぶして板状部１ｂを形成し、該板状部１ｂの先端に上記吊りアーム２の中央部が固定されており、上記脚部１ａを、デッキの裏面に垂直に固定した場合でも、船内通路の隔壁に水平に固定した場合でもフック２ａは水平面に対してほぼ４５°傾斜して、かつ、上方に開いていて、吊り下げ式灯具３を引っ掛けている吊り輪が外れるには重力に逆らって移動しなければならないようになっていることを特徴とする船舶の吊り下げ式灯具用取付脚。
【発明の詳細な説明】
【０００１】
【発明の属する技術分野】
本発明は、吊り下げ式灯具用取付脚に係り、特に船舶のデッキ裏や船内通路の隔壁等に使用される吊り下げ式灯具用取付脚に関するものである。
【０００２】
【従来の技術】
船舶のデッキ裏や船内通路の隔壁等には照明用に多数の蛍光灯などの吊り下げ式灯具が使用されている。
【０００３】
図３は従来の吊り下げ式灯具用取付脚をデッキの裏面に垂下して配設した状態を示す図で、（Ａ）は正面図、（Ｂ）は側面図である。
図において、１Ａは吊り下げ式灯具用取付脚（以下、取付脚という）である。１ａは取付脚１Ａの脚部である。脚部１ａは鋼管で形成されている。２は取付脚１Ａの先端に設けた丸鋼棒製の吊りアームで、両端にフック２ａを有している。３は蛍光灯などの吊り下げ式灯具（以下、灯具という）である。４はフック２ａに灯具３を吊り下げる吊り環である。５は船舶のデッキであり、裏面に脚部１ａの基端が固定されている。６はアース係止用ボルトで、先端を灯具３に接続したアース線７の上端を係止している。
【０００４】
図４は従来の吊り下げ式灯具用取付脚を船内通路の隔壁に配設した状態を示す図で、（Ａ）は平面図、（Ｂ）は（Ａ）のＡ−Ａ矢視図である。
図において、１Ｂは取付脚であり、脚部１ａを山形鋼で形成している。脚部１ａの基端を隔壁５Ａに固定し、先端を横方向に張り出すように配設している。２は丸鋼棒製の吊りアーム２で、２ａは吊りアーム２両端のフックである。吊りアーム２は脚部１ａ先端のフランジの下面に脚部１ａと直交するように固定されている。３は灯具、４は吊り環、６はアース係止用ボルト、７はアース線である。
【０００５】
【発明が解決しようとする課題】
しかしながら、上記従来の取付脚は、灯具をデッキの裏面に配設する場合には基端をデッキの裏面に固定して垂下させ、船内通路の隔壁等に配設する場合には基端を隔壁等に固定して横方向に張り出すようにして配設している。したがって、その配設場所に対応してあらかじめ異なった取付脚を２種類製作しておかなければならず、設計図面の製作や加工コストが増大するという問題がある。
【０００６】
本発明は、上記のような問題点を解決するために創案されたもので、あらかじめ１種類の吊り下げ式灯具用取付脚を製作しておき、その取付脚を縦にも横にも共用できるようにして、設計図面の製作や加工コストの削減を図るようにした吊り下げ式灯具用取付脚を提供することを目的とするものである。
【０００７】
【課題を解決するための手段】
本発明によれば、両端に吊り下げ式灯具を引っ掛けるフックを有する吊りアームの中央部を先端に固定した吊り下げ式灯具用取付脚であって、吊りアームとフックとを含む平面を取付脚の軸芯の延長線に対してほぼ４５°傾斜させた吊り下げ式灯具用取付脚が提供される。
【０００８】
次に本発明の作用について説明する。
船舶の灯具は、デッキ裏や船内通路の隔壁などに、取付脚を介して多数配設されている。取付脚の先端には両端にフックを有する吊りアームが固定されている。吊りアームは、吊りアームとフックとを含む平面を取付脚の軸芯の延長線に対してほぼ４５°傾斜させて脚部に固定しているので、取付脚を垂下しても、横に張り出すようにしても、フックはほぼ４５°傾斜してほぼ同じ状態で取り付けられており、どの配設場所にも共用でき、かつ、灯具を引っ掛けている吊り環が外れるには重力に逆らって移動しなければならないので、簡単に外れることがない。したがって、１種類の取付脚で縦にも横にも共用できるので、異なった取付脚を２種類製作しておく必要がなく、設計図面の製作や加工コストの削減を図ることができる。
【０００９】
【本発明の実施の形態】
以下、本発明の好ましい実施形態について図面を参照して説明する。
図１は本発明の吊り下げ灯具用取付脚を垂下させて配設した状態を示す図で、（Ａ）は正面図、（Ｂ）は側面図である。なお、従来例として図３および図４に示したものと、同じものについては、同じ符号を付して説明する。
【００１０】
図において、１は吊り下げ灯具用取付脚である。１ａは取付脚１の脚部である。脚部１ａは鋼管製で先端を平らにつぶして板状部１ｂを形成している。２は脚部１ａ先端の板状部１ｂの端部に固定した吊りアームである。吊りアーム２は丸鋼棒製で両端を折り曲げて蛍光灯などの灯具３を引っ掛けるフック２ａを形成している。４はフック２ａに灯具３を引っ掛ける吊り環である。５は船舶のデッキであり、デッキ５の裏面に取付脚１の基端が固定されている。６はアース係止用ボルトで、７は一端を灯具３に接続したアース線７の他端を係止している。
【００１１】
吊りアーム２は、図１（Ｂ）に示すように、脚部１ａ先端の板状部１ｂの端部に、吊りアーム２とフック２ａとを含む平面１０を取付脚１の軸芯の延長線に対してほぼ４５°傾斜させている。
【００１２】
図２は本発明の吊り下げ式灯具用取付脚を、船内通路の隔壁に配設した状態を示す側面図である。５Ａは船内隔壁である。船内隔壁５の壁面に取付脚１の基端が固定されている。なお、取付脚の構成は、上記実施形態の吊り下げ式灯具用取付脚と同じであり、説明を省略する。
【００１３】
次に本実施形態の作用について述べる。
船舶の灯具３は、デッキ５裏や船内通路の隔壁５Ａなどに、取付脚１を介して多数配設されている。取付脚１の先端には両端にフック２ａを有する吊りアーム２が固定されている。吊りアーム２は、吊りアーム２とフック２ａとを含む平面１０を取付脚１の軸芯の延長線に対してほぼ４５°傾斜させて脚部１ａに固定しているので、取付脚１を垂下しても、横に張り出すようにしても、フック２ａはほぼ４５°傾斜してほぼ同じ状態で取り付けられており、どの配設場所にも共用でき、かつ、灯具３を引っ掛けている吊り環４が外れるには重力に逆らって移動しなければならないので、簡単に外れることがない。したがって、１種類の取付脚１で縦にも横にも共用できるので、異なった取付脚１を２種類製作しておく必要がなく、設計図面の製作や加工コストの削減を図ることができる。
【００１４】
本発明は、上記実施の形態に限定されるものではなく、本発明の要旨を逸脱しない範囲で種々変更し得ることは勿論である。
【００１５】
【発明の効果】
以上説明したように、本発明によれば、取付脚をデッキ裏に垂下させて配設する場合も、船内通路の隔壁等に横に張り出すようにして配設する場合にも、１種類の取付脚を製作しておけばよいので、設計図面や製作コストや加工工数の削減を図ることができるなどの優れた効果を奏する。
【図面の簡単な説明】
【図１】本発明の吊り下げ式灯具用取付脚を垂下させて配設した状態を示す図で、（Ａ）は正面図、（Ｂ）は側面図である。
【図２】本発明の吊り下げ式灯具用取付脚を船内通路の隔壁に配設した状態を示す側面図である。
【図３】従来の吊り下げ式灯具用取付脚を垂下させて配設した状態を示す図で、（Ａ）は正面図、（Ｂ）は側面図である。
【図４】従来の吊り下げ式灯具用取付脚を船内通路の隔壁に配設した状態を示す側面図である。
【符号の説明】
１、１Ａ、１Ｂ  吊り下げ式灯具用取付脚
１ａ  脚部
２  吊りアーム
２ａ  フック
３  吊り下げ式灯具
４  吊り環
５  デッキ
５Ａ  隔壁
６  ボルト
７  アース線
１０  吊りアームとフックを含む平面
【図１】
0004395938.tif 000002
【図２】
0004395938.tif 000003
【図３】
0004395938.tif 000004
【図４】
0004395938.tif 000005